(57)【要約】【課題】セキュリティを高め得る。【解決手段】紙幣入出金部１０は、開放方向及び閉鎖方向にシャッタ２４を移動させる開閉部９４と、駆動力を有する駆動部９６と、駆動部９６及び開閉部９４に接触して回転することで駆動部９６の駆動力を開閉部９４に伝達することにより、開閉部９４を駆動するギア部としてのロックギア４８と、ギア部に接触しギア部の回転を規制することにより、開閉部９４の動作を規制しシャッタ２４が移動しないようロックする一方、ギア部から外れギア部の回転を開放することにより、開閉部９４を移動させシャッタ２４を移動させるようロックを解除するシャッタ施解錠部９８とを設けるようにした。【選択図】図３
2014130480.tif 000002
【特許請求の範囲】
【請求項１】
開口を介し外部から取り込んだ媒体を収容する媒体収容部を外部に開放する開放方向及び外部から閉鎖する閉鎖方向にシャッタを移動させる開閉部と、
駆動力を有する駆動部と、
上記駆動部及び上記開閉部に接触して回転することで上記駆動部の駆動力を上記開閉部に伝達することにより、上記開閉部を駆動するギア部と、
上記ギア部に接触し回転を規制することにより、上記開閉部の動作を規制して閉鎖状態にある上記シャッタをロックする一方、上記ギア部から外れることにより、上記開閉部を動作可能にして上記シャッタのロックを解除するシャッタ施解錠部と
を有するシャッタ装置。
【請求項２】
上記シャッタ施解錠部は、上記駆動部からの駆動力が伝達されることにより、上記ギア部に接触する又は外れるよう移動する
請求項１に記載のシャッタ装置。
【請求項３】
上記シャッタ施解錠部は、
上記駆動部から駆動力を伝達され回転するカムギアと、
一部が上記カムギアに接触し他の一部が上記ギア部に係止することにより上記ギア部の回転を規制する一方、上記カムギアの回転に応じて回動し上記ギア部から上記他の一部が外れることにより上記ギア部を回転可能にさせるロック部と
を有する請求項２に記載のシャッタ装置。
【請求項４】
上記ギア部は、略円筒形状でなり外周面の一部が凹設されたロック係止部を有するロックギアでなり、
上記ロック部は、転動するロック回転部材が上記ロックギアにおける上記ロック係止部に係止することにより、上記ロックギアの回転を規制する
請求項３に記載のシャッタ装置。
【請求項５】
上記カムギアは、略円形でなり外周面の一部が内周に向かって凹設された解除リンク摺動部が形成されたカム部を有し、
上記ロック部は、上記解除リンク摺動部に接触し転動可能なロック解除回転部材が、上記カムギアの回転に伴い上記カム部の外周面へ移動することにより回動し、上記ロック回転部材が上記ロックギアにおける上記ロック係止部から外れることにより、上記ロックギアを回転可能にする
請求項４に記載のシャッタ装置。
【請求項６】
上記駆動部は、回転可能な複数のギアを有し、上記シャッタが開放状態から閉鎖状態まで移動する際、上記カムギアがほぼ１回転するギア比で構成されている
請求項５に記載のシャッタ装置。
【請求項７】
上記シャッタにおいて上記開閉部と対向する箇所にはラックが形成され、
上記開閉部は、外周面にギア歯が形成されたピニオンギアでなり、上記シャッタの上記ラックに噛合して回転することにより、上記シャッタを移動させる
請求項３に記載のシャッタ装置。
【請求項８】
上記開閉部は、回転可能な複数のプーリと、上記シャッタの移動方向に沿って延設するよう当該プーリに架設され上記シャッタが固定された無端ベルトとからなり、当該プーリの回転に伴って当該無端ベルトが回転することにより、上記シャッタを移動させる
請求項３に記載のシャッタ装置。
【請求項９】
上記カムギアには、当該カムギアを手動で回転させる操作部が形成されている
請求項３に記載のシャッタ装置。
【請求項１０】
上記シャッタ施解錠部は、上記駆動部からの駆動力が伝達されず、上記駆動部において駆動力を発生する駆動源とは別の、上記シャッタ施解錠部を駆動する施解錠駆動部から駆動力を伝達される
請求項１に記載のシャッタ装置。
【請求項１１】
紙葉状の媒体に関する取引を受け付ける受付部と、
開口を介し外部から取り込んだ媒体を収容する媒体収容部を外部に開放する開放方向及び外部から閉鎖する閉鎖方向にシャッタを移動させる開閉部と、
駆動力を有する駆動部と、
上記駆動部及び上記開閉部に接触して回転することで上記駆動部の駆動力を上記開閉部に伝達することにより、上記開閉部を駆動するギア部と、
上記ギア部に接触し回転を規制することにより、上記開閉部の動作を規制して閉鎖状態にある上記シャッタをロックする一方、上記ギア部から外れることにより、上記開閉部を動作可能にして上記シャッタのロックを解除するシャッタ施解錠部と、
上記受付部により受け付け上記媒体収容部に収容された上記媒体を搬送する搬送部と
を有する媒体取引装置。
【発明の詳細な説明】
【技術分野】
【０００１】
本発明はシャッタ装置及び媒体取引装置に関し、例えば紙幣等の媒体を投入して所望の取引を行う現金自動取引装置（ＡＴＭ）等に適用して好適なものである。
【背景技術】
【０００２】
従来、現金自動取引装置においては、紙幣入出金部において入金用の紙幣を投入するための箱型の紙幣収容部と、当該紙幣収容部を外部に対し開放又は閉鎖するシャッタが設けられており、入金時は当該シャッタを開け、利用者により紙幣収容部に投入された紙幣を現金自動取引装置内に取り込むようにして入金処理を行うようになされている。
【０００３】
紙幣入出金部においては、紙幣収容部を外部に対し閉鎖する際、シャッタをロックすることにより、当該現金自動取引装置内部に収納された現金の盗難を防ぐものがある。
【０００４】
このような紙幣入出金部においては、シャッタ又は当該シャッタと一体となったリンクに直接ロックを掛けるもの（以下では直接ロック方式とも呼ぶ）が提案されている（例えば、特許文献１乃至特許文献３参照）。
【０００５】
図９に示すように、直接ロック方式の紙幣入出金部２１０は、フレーム８７の開口部８８と紙幣収容部２２との間を前後方向にスライドする板状のシャッタ８９と、図中時計回り又は反時計回りに回転する駆動部９０と、駆動部９０の中心軸から外れた箇所から突出するカム部９０Ａと、支軸９１を中心に図中時計回り又は反時計回りに回動し、後端部がカム部９０Ａに上方から接するロック機構９２とを有している。
【０００６】
シャッタ８９を閉鎖する際、紙幣入出金部２１０は、駆動部９０を反時計回りに回転させることにより、カム部９０Ａを下方へ移動させる。このためロック機構９２は支軸９１を中心に反時計回りに回動し、前端がシャッタ８９の後端に接触する。これによりシャッタ８９はロックされ、後方への移動が規制される。
【０００７】
一方シャッタ８９を開放させる際、紙幣入出金部２１０は、駆動部９０を時計回りに回転させることにより、カム部９０Ａを上方へ移動させる。このためロック機構９２は支軸９１を中心に時計回りに回動し、前端がシャッタ８９の後端から下方に外れる。これによりシャッタ８９は、ロックが解除され、後方への移動が可能となる。
【先行技術文献】
【特許文献】
【０００８】
【特許文献１】特開平４−１７４０９７号公報
【特許文献２】特許第４６４１７７６号
【特許文献３】特開平９−９１４８７号公報
【発明の概要】
【発明が解決しようとする課題】
【０００９】
このように、直接ロック方式の紙幣入出金部は、シャッタ８９に直接ロック機構９２を接触させてロックを掛けるため、ロック機構９２がシャッタ８９にロックを掛けるロック係止位置ＰＬを、シャッタ８９の近傍（ロック機構９２とシャッタ８９との接点）に設ける必要がある。
【００１０】
この場合、フレーム８７とシャッタ８９との隙間から工具を挿入してロック係止を解除されるおそれがあり、セキュリティが保てないおそれがあった。
【００１１】
本発明は以上の点を考慮してなされたもので、セキュリティを高め得るシャッタ装置及び媒体取引装置を提案しようとするものである。
【課題を解決するための手段】
【００１２】
かかる課題を解決するため本発明のシャッタ装置においては、開口を介し外部から取り込んだ媒体を収容する媒体収容部を外部に開放する開放方向及び外部から閉鎖する閉鎖方向にシャッタを移動させる開閉部と、駆動力を有する駆動部と、駆動部及び開閉部に接触して回転することで駆動部の駆動力を開閉部に伝達することにより、開閉部を駆動するギア部と、ギア部に接触し回転を規制することにより、開閉部の動作を規制して閉鎖状態にあるシャッタをロックする一方、ギア部から外れることにより、開閉部を動作可能にしてシャッタのロックを解除するシャッタ施解錠部とを設けるようにした。
【００１３】
このシャッタ装置は、シャッタ自体に接触してロックを掛けるのではなく、シャッタを開閉する開閉部を駆動するギア部に接触してロックを掛けることにより、ロック係止位置を開口から離隔することができる。
【００１４】
また本発明の媒体取引装置においては、紙葉状の媒体に関する取引を受け付ける受付部と、開口を介し外部から取り込んだ媒体を収容する媒体収容部を外部に開放する開放方向及び外部から閉鎖する閉鎖方向にシャッタを移動させる開閉部と、駆動力を有する駆動部と、駆動部及び開閉部に接触して回転することで駆動部の駆動力を開閉部に伝達することにより、開閉部を駆動するギア部と、ギア部に接触し回転を規制することにより、開閉部の動作を規制して閉鎖状態にあるシャッタをロックする一方、ギア部から外れることにより、開閉部を動作可能にしてシャッタのロックを解除するシャッタ施解錠部と、受付部により受け付け媒体収容部に収容された媒体を搬送する搬送部とを設けるようにした。
【００１５】
この媒体取引装置は、シャッタ自体に接触してロックを掛けるのではなく、シャッタを開閉する開閉部を駆動するギア部に接触してロックを掛けることにより、ロック係止位置を開口から離隔することができる。
【発明の効果】
【００１６】
本発明によれば、シャッタ自体に接触してロックを掛けるのではなく、シャッタを開閉する開閉部を駆動するギア部に接触してロックを掛けることにより、ロック係止位置を開口から離隔することができる。かくして本発明は、セキュリティを高め得るシャッタ装置及び媒体取引装置を実現できる。
【図面の簡単な説明】
【００１７】
【図１】現金自動取引装置の構成を示す斜視図である。
【図２】紙幣入出金機の構成を示す左側面図である。
【図３】第１の実施の形態による紙幣入出金部の構成を示す斜視図である。
【図４】ポスト２段ギア、空転ギア、カムギア、ロック部及びロックギアの構成を示す斜視図である。
【図５】第１の実施の形態による紙幣入出金部の閉鎖状態におけるロック状態を示す左側面図である。
【図６】第１の実施の形態による紙幣入出金部の閉鎖状態におけるロックフリー状態を示す左側面図である。
【図７】第１の実施の形態による紙幣入出金部の開放状態を示す左側面図である。
【図８】第２の実施の形態による紙幣入出金部の構成を示す斜視図である。
【図９】従来の紙幣入出金部の構成を示す左側面図である。
【発明を実施するための形態】
【００１８】
以下、発明を実施するための形態（以下実施の形態とする）について、図面を用いて説明する。
【００１９】
［１．第１の実施の形態］
［１−１．現金自動取引装置の全体構成］
図１に外観を示すように、現金自動取引装置１は、箱状の筐体１９を中心に構成されており、例えば金融機関等に設置され、利用者との間で入金取引や出金取引等の現金に関する取引を行うようになされている。
【００２０】
この現金自動取引装置１は、キャッシュカードや紙幣、通帳などを取引媒体とし、利用者の操作によって、現金の預け払いや支払い、振り込みなどの処理を行うようになされている。
【００２１】
筐体１９は、その前側に利用者が対峙した状態で紙幣の投入やタッチパネルによる操作等をしやすい箇所、すなわち前面の上部分に接客部９が設けられている。
【００２２】
接客部９は、カード入出口２、通帳入出口３、紙幣入出口６、硬貨入出口７、表示操作部８が設けられており、利用者との間で現金や通帳等を直接やり取りすると共に、取引に関する情報の通知や操作指示の受付を行うようになされている。
【００２３】
現金自動取引装置１の内部上方には、利用者のキャッシュカードなどを処理するカード処理機（図示せず）と、取引内容などを通帳に記録する通帳処理機（図示せず）が設けられている。
【００２４】
カード処理機は、現金自動取引装置１の前面（利用者に対向する面）に設けられたカード入出口２より取り込まれた利用者のキャッシュカードを処理し、また通帳処理機は、現金自動取引装置１の前面に設けられた通帳入出口３より取り込まれた通帳を処理する。
【００２５】
また現金自動取引装置１の内部には、紙幣を処理する紙幣入出金機４と、硬貨を処理する硬貨入出金機５とが設けられている。
【００２６】
この紙幣入出金機４の上面前方には、現金自動取引装置１の前面に露出する紙幣入出口６が設けられ、この紙幣入出口６を介して紙幣の入出金が行われる。さらに硬貨入出金機５の上面前方には、現金自動取引装置１の前面に露出する硬貨入出口７が設けられ、この硬貨入出口７を介して硬貨の入出金が行われる。
【００２７】
さらに現金自動取引装置１における紙幣入出口６及び硬貨入出口７の手前側には、表示操作部８が設けられている。この表示操作部８は、例えば、表示部としての液晶パネルと、操作部としてのタッチパネルとでなり、各種画面の表示、暗証番号や取引金額の入力などを行うことができるようになされている。
【００２８】
またこの現金自動取引装置１の筐体１９内には、全体を制御する制御部（図示せず）が所定箇所に設けられている。
【００２９】
［１−２．紙幣入出金機の構成］
図２に示すように紙幣入出金機４は、入金された紙幣を出金にも利用する所謂リサイクル型の紙幣入出金機であり、その上部に紙幣入出金部１０、鑑別部１１及び一時保留部１２が配置され、その下部に複数の紙幣収納庫１３とリジェクト庫１４とが配置された構成となっている。
【００３０】
具体的には、紙幣入出金機４上部の前面側に紙幣入出金部１０が配置されていて、この紙幣入出金部１０に上述した紙幣入出口６が設けられている。
【００３１】
また紙幣入出金機４の上部には、この紙幣入出金部１０の後方下寄りの位置に、紙幣の真偽、正損、金種及び搬送状態などを判別する鑑別部１１が配置され、さらにこの鑑別部１１の後方上寄りの位置に、紙幣を一時的に保管する一時保留部１２が配置されている。
【００３２】
さらに紙幣入出金機４の下部には、複数の縦長の紙幣収納庫１３が前後方向に並べて配置され、さらに最後尾の紙幣収納庫１３の後方にリジェクト庫１４が配置されている。
【００３３】
この紙幣入出金機４には、これら紙幣入出金部１０、鑑別部１１、一時保留部１２、複数の紙幣収納庫１３及びリジェクト庫１４を繋ぐ搬送路１５が設けられており、この搬送路１５を通って、紙幣が各部に搬送されるようになされている。
【００３４】
このような構成でなる紙幣入出金機４は、入金取引時、利用者が紙幣入出金部１０の紙幣入出口６から紙幣を投入すると、これを鑑別部１１へ搬送し、鑑別部１１により正常紙幣と判別された紙幣は一時保留部１２へ搬送して収納する一方、入金に適さない入金リジェクト紙幣と判別された紙幣については紙幣入出金部１０に戻して紙幣入出口６から利用者に返却する。
【００３５】
その後、利用者により入金金額が確定されると、一時保留部１２に収納している紙幣を鑑別部１１へ搬送して金種を鑑別した後、その金種に応じて各紙幣収納庫１３へ搬送して保管するようになされている。
【００３６】
一方、出金取引時、紙幣入出金機４は、利用者に出金金額が指定されると、指定された出金金額に応じた紙幣を各紙幣収納庫１３から繰り出して鑑別部１１へ搬送する。そして紙幣入出金機４は、鑑別部１１により正常紙幣と判別された紙幣は紙幣入出金部１０へ搬送する一方、出金に適さない出金リジェクト紙幣と判別された紙幣は一時保留部１２へ搬送して収納する。
【００３７】
その後、紙幣入出金機４は、一時保留部１２に収納している出金リジェクト紙幣を、リジェクト庫１４へ搬送して保管する。
【００３８】
［１−３．紙幣入出金部の構成］
図３に外観を示すように、紙幣入出金部１０は、箱状のフレーム２０を中心に構成されており、当該フレーム２０の上方の前部分には、紙幣入出口６が穿設されている。
【００３９】
また紙幣入出口６の下部には、上方が開口する断面コ字形状であり内部に紙幣を収容する紙幣収容部２２が設けられている。
【００４０】
紙幣入出口６と紙幣収容部２２との間には、略平板状のシャッタ２４が当該紙幣入出口６を下側から覆うように設けられている。このシャッタ２４は、前後方向に移動することにより、紙幣収容部２２を紙幣入出金機４の外部に対し開放又は閉塞させる。
【００４１】
紙幣入出金部１０には、シャッタ２４を開け閉めするシャッタ開閉機構１６と、当該シャッタ２４にロックを掛けて施錠する又は外して解錠するシャッタ施解錠機構１８とが組み込まれている。
【００４２】
シャッタ開閉機構１６は、主にポスト２段ギア３２、空転ギア３８、ロックギア４８、ドライブギア５４及びピニオンギア５８により構成されている。
【００４３】
シャッタ施解錠機構１８は、主にポスト２段ギア３２、２段ギア３４、カムギア４２、ロック部６４及びロックギア４８により構成されている。
【００４４】
シャッタ２４の下面の左右端部には、左右方向に沿って刻設された溝が当該シャッタ２４の前端から後端まで前後方向に並んだシャッタラック２６が形成されている。
【００４５】
フレーム２０には、側面視において時計回り及び反時計回りに駆動力を発生するモータ２８が、シャッタ２４よりも後方に取り付けられている。
【００４６】
モータ２８の左端には、円筒形状でなるモータギア３０が側面視において当該モータ２８の回転に合わせて回転するよう取り付けられている。
【００４７】
モータギア３０の前方には、ポスト２段ギア３２が、当該モータギア３０と噛み合うように側面視においてポスト２段ギアシャフト３６を中心に回転自在にフレーム２０に取り付けられている。
【００４８】
図４に示すように、ポスト２段ギア３２は、円筒形状でなり外周面にギア歯が形成された大径ポスト２段ギア部３２Ａと、当該大径ポスト２段ギア部３２Ａの左側に形成され、大径ポスト２段ギア部３２Ａよりも直径が小さい円筒形状でなり外周面にギア歯が形成された小径ポスト２段ギア部３２Ｂとから構成されている。
【００４９】
小径ポスト２段ギア部３２Ｂの左側面からは、円筒形状でなるポスト部３２Ｃが左側に向かって突設している。
【００５０】
ポスト２段ギア３２は、大径ポスト２段ギア部３２Ａがモータギア３０と噛合することにより、モータ２８からの回転駆動力を伝達される。
【００５１】
またポスト２段ギア３２は、大径ポスト２段ギア部３２Ａよりも直径が小さい小径ポスト２段ギア部３２Ｂを有することにより、当該小径ポスト２段ギア部３２Ｂに噛合する２段ギア３４（後述する）へ、モータ２８からの回転駆動力を減速して伝達する。以下では外周面にギア歯が形成されたギアの直径をギア径とも呼ぶ。
【００５２】
ポスト２段ギア３２の左側には、当該ポスト２段ギア３２と同一のポスト２段ギアシャフト３６を中心に回転自在な空転ギア３８が設けられている。
【００５３】
図４に示したように空転ギア３８は、円筒形状でなる大径部３８Ａと、当該大径部３８Ａの左側に形成され、大径部３８Ａよりも直径が小さい円筒形状でなり外周面にギア歯が形成された空転ギア部３８Ｂとから構成されている。
【００５４】
大径部３８Ａにおける、ポスト２段ギア３２のポスト部３２Ｃと対向する右側面には、ポスト２段ギアシャフト３６を中心として円弧状長穴部３８Ｃがほぼ半周に亘って円弧状に凹設しており、ポスト部３２Ｃが摺動可能に嵌め込まれている。
【００５５】
円弧状長穴部３８Ｃには、側面視において時計回りの回転方向先端側の閉鎖時当接端面３８ＣＢと、反時計回りの回転方向先端側の開放時当接端面３８ＣＡとが形成されている。
【００５６】
紙幣入出金部１０は、このポスト２段ギア３２と空転ギア３８とにより、モータ２８からの回転がピニオンギア５８に伝達するタイミングを遅延させる（詳しくは後述する）。
【００５７】
ポスト２段ギア３２の後方下側には、２段ギア３４が当該ポスト２段ギア３２と噛み合うように側面視において２段ギアシャフト４０を中心に回転自在にフレーム２０に取り付けられている。
【００５８】
２段ギア３４は、円筒形状でなり外周面にギア歯が形成された大径２段ギア部３４Ａと、当該大径２段ギア部３４Ａの左側に形成され、大径２段ギア部３４Ａよりもギア径が小さい円筒形状でなり外周面にギア歯が形成された小径２段ギア部３４Ｂとから構成されている。
【００５９】
２段ギア３４は、大径２段ギア部３４Ａがポスト２段ギア３２の小径ポスト２段ギア部３２Ｂと噛合することにより、モータ２８からの回転駆動力を伝達される。
【００６０】
また２段ギア３４は、大径２段ギア部３４Ａよりもギア径が小さい小径２段ギア部３４Ｂを有することにより、当該小径２段ギア部３４Ｂに噛合するカムギア４２（後述する）へ、モータ２８からの回転駆動力を減速して伝達する。
【００６１】
具体的には２段ギア３４は、ポスト２段ギア３２からの回転を減速し、シャッタ２４の１開閉分に相対するカムギア４２の回転を１周未満に変換する。このように紙幣入出金部１０は、シャッタ２４が開放状態から閉鎖状態まで移動する際カムギア４２がほぼ１回転するギア比により、シャッタ開閉機構１６及びシャッタ施解錠機構１８の各種ギアが構成されている。
【００６２】
２段ギア３４の後方には、カムギア４２が当該２段ギア３４と噛み合うように側面視においてカムギアシャフト４１を中心に回転自在にフレーム２０に取り付けられている。
【００６３】
図４に示すように、カムギア４２は、円筒形状でなり外周面にギア歯が形成されたカムギア部４３を有している。
【００６４】
カムギア４２は、カムギア部４３が２段ギア３４の小径２段ギア部３４Ｂと噛合することにより、モータ２８からの回転駆動力を伝達される。
【００６５】
カムギア部４３の左側には、円盤状の底面４３Ａの外周に沿って左方向に向かって立設する外周壁において、左右方向に沿って刻設された溝が当該外周壁の外周面に形成された操作部４４が形成されている。
【００６６】
このため作業員が、保守作業時に操作部４４に触れながらカムギア４２を回転させることができる。
【００６７】
また操作部４４の内周側には、円盤状のカム部４５が底面４３Ａから左方向に向かって立設している。
【００６８】
カム部４５には、略円形状の内ほぼ４分の１周がカムギアシャフト４１に向かって凹設された解除リンク摺動部４６が形成されている。
【００６９】
この解除リンク摺動部４６における側面視反時計回りの回転方向先端側には、カム部４５の外周面からカムギアシャフト４１に向かう平面である逆転防止端面４６Ａが形成されている。
【００７０】
また操作部４４において、カム部４５の逆転防止端面４６Ａと対向する箇所は、カムギアシャフト４１に向かって突出する突起部４４Ａが形成されている。
【００７１】
ところで、空転ギア３８（図３）の前方上部には、円筒形状でなるロックギア４８が、当該空転ギア３８と噛み合うように側面視においてロックギアシャフト５２を中心に回転自在に設けられている。ロックギアシャフト５２は、その左右両端がフレーム２０に固定されている。
【００７２】
図４に示すように、ロックギア４８は、円筒形状でなり外周面にギア歯が形成されたロックギア部４９と、当該ロックギア部４９の側面部に形成されたロック係止部５０とから構成されている。
【００７３】
ロックギア４８は、ロックギア部４９が空転ギア３８の空転ギア部３８Ｂと噛合することにより、モータ２８からの回転駆動力を伝達される。
【００７４】
またロック係止部５０には、ほぼ４分の１周が円弧状に切り欠かれたロック係止摺動部５１が刻設されている。
【００７５】
ロック係止摺動部５１における側面視反時計回りの回転方向先端側には、ロック係止部５０の外周面からロックギアシャフト５２の回転中心に向かう平面であるロック端面５１Ａが形成されている。
【００７６】
ロックギア４８の前方上部には、円筒形状でなり外周面にギア歯が形成され、ギア径が当該ロックギア４８のロックギア部４９よりも小さいドライブギア５４が、当該ロックギア４８と噛み合うようにドライブギアシャフト５６に挿通されて固定され、側面視において当該ドライブギアシャフト５６と共に回転するように設けられている。ドライブギアシャフト５６は、その左右両端がフレーム２０に対し回転可能に固定されている。
【００７７】
ドライブギア５４は、ロックギア４８のロックギア部４９と噛合することにより、モータ２８からの回転駆動力を伝達される。
【００７８】
ドライブギアシャフト５６の左右両端には、円筒形状でなり外周面にギア歯が形成された、ドライブギア５４よりもややギア径が大きいピニオンギア５８が、互いのギア歯の位相を合わせるよう固定されている。
【００７９】
ピニオンギア５８は、上方のシャッタ２４におけるシャッタラック２６に噛合することにより、当該ピニオンギア５８の回転駆動力を、シャッタ２４の前後方向の直線運動に変換して伝達する。
【００８０】
シャッタ２４の後端近傍の下方には、フレーム２０に固定された開検知センサ６０と閉検知センサ６２とが設けられている。
【００８１】
開検知センサ６０は、シャッタ２４が全開になっている状態において、当該シャッタ２４に設けられた図示しない開放時遮蔽部の有無を検出することにより開放状態を検知する。
【００８２】
また閉検知センサ６２は、シャッタ２４が閉鎖している状態において、当該シャッタ２４に設けられた図示しない閉鎖時遮蔽部の有無を検出することにより閉鎖状態を検知する。
【００８３】
ところで、カムギア４２及びロックギア４８の左側には、ロック部６４が設けられている。
【００８４】
ロック部６４は、上部分の後端において穿設されたシャフト孔部６４Ｄを、円筒形状の回転支点シャフト６７に挿通されることにより、当該回転支点シャフト６７を支点として側面視において時計回り及び反時計回りに回動する。
【００８５】
ロック部６４における前端には、ロック係止突起部６４Ａが形成されている。このロック係止突起部６４Ａは、円筒形状であり回転可能なローラ又はベアリング等のロック回転部材６５が設けられ、当該ロック回転部材６５が、ロックギア４８のロック係止摺動部５１に入り込んで接触しつつ回転する。
【００８６】
ロック部６４における下部分の後端には、ロック解除リンク部６４Ｂが形成されている。このロック解除リンク部６４Ｂは、略円筒形状であり回転可能なローラ又はベアリング等のロック解除回転部材６６が設けられ、当該ロック解除回転部材６６が、カムギア４２の解除リンク摺動部４６に入り込んで接触しつつ回転する。
【００８７】
ロック部６４における下部分の前端には、前方に向かって突出する遮蔽部６４Ｃが形成されている。
【００８８】
このロック部６４の遮蔽部６４Ｃの近傍には、フレーム２０に固定されたロック状態検知センサ７０が設けられている。ロック状態検知センサ７０は、ロック部６４の遮蔽部６４Ｃが検出部を遮ったか否かを検出することにより、ロック状態を検知する。
【００８９】
回転支点シャフト６７（図３）における、ロック部６４の左側には、トーションバースプリングでなるスプリング６８における、１本の金属棒の前後方向の中央部分である巻装部６８Ｃが巻装されている。
【００９０】
巻装部６８Ｃからは、トーションバースプリングの一部分である前腕部６８Ｆが前方向へ、後腕部６８Ｒが後ろ方向へそれぞれ延びている。
【００９１】
スプリング６８は、前腕部６８Ｆの前端部が自然状態よりも下方向に位置する状態で、ロック部６４におけるシャフト孔部６４Ｄとロック係止突起部６４Ａとの間に穿設されたスプリング孔部６４Ｅに嵌め込まれると共に、後腕部６８Ｒの後端部が自然状態よりも下方向に位置する状態でフレーム２０に固定されている。
【００９２】
このためロック部６４は、側面視において反時計回りに回動するよう、スプリング６８により付勢されている。
【００９３】
紙幣入出金部１０においては、これらモータギア３０、２段ギア３４、カムギア４２、ポスト２段ギア３２、空転ギア３８、ロックギア４８、ドライブギア５４及びピニオンギア５８が、閉鎖状態のロックのガタ量を均一にするために、互いにギア歯の位相が合わさるよう構成されている。
【００９４】
以下では、シャッタ２４を開放方向及び閉鎖方向に移動させる機構であるドライブギア５４、ドライブギアシャフト５６及びピニオンギア５８をまとめて開閉部９４とも呼び、回転駆動力を有する機構であるモータ２８、モータギア３０、ポスト２段ギア３２、空転ギア３８及び２段ギア３４をまとめて駆動部９６とも呼び、駆動部９６及び開閉部９４に接触して回転することで駆動部９６の駆動力を開閉部９４に伝達するカムギア４２及びロック部６４をまとめてシャッタ施解錠部９８とも呼ぶ。
【００９５】
［１−４．動作及び効果］
［１−４−１．閉鎖状態におけるロック状態］
以上の構成において、図５に示すように、閉鎖状態のロック状態においては、ロック部６４の遮蔽部６４Ｃがロック状態検知センサ７０を遮るよう位置することにより、紙幣入出金部１０はロック状態を検知する。
【００９６】
ポスト２段ギア３２のポスト部３２Ｃは、空転ギア３８の円弧状長穴部３８Ｃの閉鎖時当接端面３８ＣＢに当接している。
【００９７】
またロック部６４のロック係止突起部６４Ａが、ロックギア４８のロック係止摺動部５１のロック端面５１Ａに当接している。
【００９８】
またロック部６４のロック解除リンク部６４Ｂは、カムギア４２のカム部４５における逆転防止端面４６Ａに当接しておらず、僅かに離隔している。
【００９９】
このように閉鎖状態においては、カム部４５の逆転防止端面４６Ａが、ロック部６４のロック解除リンク部６４Ｂに対し反時計回りの回転方向先端側近傍に位置している。このため逆転防止端面４６Ａは、閉鎖状態においてカムギア４２が時計回りに回転してしまうことを防止できる。
【０１００】
この状態でシャッタ２４に対し開放方向（後方）の力が加わると、（すなわち閉鎖状態におけるロック状態において無理矢理シャッタ２４を開けられようとすると、）その力はピニオンギア５８、ドライブギアシャフト５６、ドライブギア５４を介しロックギア４８を図５中時計回りに回転させようとする。
【０１０１】
このときロックギア４８は、ロック端面５１Ａがロック部６４のロック係止突起部６４Ａに当接することにより、時計回りの回転（シャッタ２４を開放させる方向の回転）が防止される。
【０１０２】
このようにロック状態においては、ロック部６４がロックギア４８の時計回りの回転を規制することにより、紙幣入出金部１０は、シャッタ２４が開放されることを防止することができる。
【０１０３】
また、閉鎖状態においては、回転支点シャフト６７の回転中心とロック係止突起部６４Ａにおけるロック回転部材６５の回転中心とを通る仮想線ＶＬ１と、ロック係止摺動部５１のロック端面５１Ａに沿った面とロックギアシャフト５２の回転中心とを通る仮想線ＶＬ２との角度は、９０度となっている。
【０１０４】
仮に仮想線ＶＬ１と仮想線ＶＬ２との角度が９０度よりも大きい場合、ロックギア４８が図５中時計回りに回転しようとすると、ロック部６４のロック係止突起部６４Ａがロック端面５１Ａから下方向へ移動してロック係止摺動部５１から退避し、ロック状態においてロックが解除されてしまう可能性がある。
【０１０５】
一方仮に仮想線ＶＬ１と仮想線ＶＬ２との角度が９０度未満の場合、後述するロックフリー状態に移行する際、ロック部６４が図５中時計回りに回動できず、ロックを解除できなくなってしまう可能性がある。
【０１０６】
これに対し紙幣入出金部１０は、仮想線ＶＬ１と仮想線ＶＬ２との角度を９０度にすることより、閉鎖状態のロック状態においてはシャッタ２４が開放されることを防止すると共に、閉鎖状態からシャッタ２４を開放させる際は、後述するロックフリー状態に移行することができる。
【０１０７】
［１−４−２．閉鎖状態におけるロック状態からロックフリー状態への遷移］
閉鎖状態におけるロック状態からシャッタ２４を開放させる際、図６に示すように紙幣入出金部１０は制御部の制御に基づきモータ２８を時計回りに回転させる。この回転駆動力が順次伝達され、ポスト２段ギア３２は反時計回りに、２段ギア３４は時計回りにそれぞれ回転し、カムギア４２は反時計回りに回転する。
【０１０８】
このときロック部６４のロック解除リンク部６４Ｂは、カムギア４２のカム部４５における解除リンク摺動部４６に当接しつつ転動した後、カム部４５の外周面へ乗り上げることにより、後方に移動し、カムギアシャフト４１からの距離（以下ではカム径ＣＲとも呼ぶ）が大きくなる。
【０１０９】
このためロック部６４は、回転支点シャフト６７を中心として、スプリング６８（図３）の付勢力に逆らって時計回りに回動する。
【０１１０】
これによりロック部６４のロック係止突起部６４Ａは、ロックギア４８のロック端面５１Ａから下方向へ移動し、ロック係止摺動部５１から退避する。
【０１１１】
このときロック部６４の遮蔽部６４Ｃがロック状態検知センサ７０よりも後方下側へ移動することにより、紙幣入出金部１０はロックが解除されたロックフリー状態を検知する。
【０１１２】
［１−４−３．閉鎖状態におけるロックフリー状態から開放状態への遷移］
図６に示した閉鎖状態のロックフリー状態から、モータ２８がさらに時計回りに回転することによりポスト２段ギア３２が反時計回りに回転すると、当該ポスト２段ギア３２におけるポスト部３２Ｃが、空転ギア３８の円弧状長穴部３８Ｃに沿って移動して開放時当接端面３８ＣＡに当接する。
【０１１３】
このためポスト部３２Ｃが円弧状長穴部３８Ｃの開放時当接端面３８ＣＡを反時計回りに押すことにより、ポスト２段ギア３２から空転ギア３８へ回転駆動力が伝達される。
【０１１４】
空転ギア３８が反時計回りに回転すると、ロック部６４のロック係止突起部６４Ａが外れたロックギア４８が時計回りに回転する。
【０１１５】
ロックギア４８が時計回りに回転すると、この回転駆動力が順次伝達され、ドライブギア５４、ドライブギアシャフト５６及びピニオンギア５８が反時計回りにそれぞれ回転することにより、シャッタ２４が開放方向に移動し、図７に示すようにシャッタ２４が開放状態になる。
【０１１６】
開放状態においては、カムギア４２の突起部４４Ａが、ロック部６４のロック解除リンク部６４Ｂに対し時計回りの回転方向先端側近傍に位置している。このため突起部４４Ａは、閉鎖状態から開放状態に遷移する際にロック解除リンク部６４Ｂが解除リンク摺動部４６に入り込んでしまうことを防止できる。
【０１１７】
これにより紙幣入出金部１０は、カムギア４２の１回転以上の回転を防止し、２段ギア３４、カムギア４２、ポスト２段ギア３２、空転ギア３８、ロックギア４８、ドライブギア５４及びピニオンギア５８のギア歯の位相がずれないようにすることができる。
【０１１８】
［１−４−４．開放状態から閉鎖状態への遷移］
開放状態においては、ロック部６４のロック係止突起部６４Ａがロックギア４８のロック端面５１Ａよりも下側に位置することによりロック係止部５０から退避し、紙幣入出金部１０はロックフリー状態となっている。
【０１１９】
開放状態からシャッタ２４を閉鎖させる際、紙幣入出金部１０は制御部の制御に基づきモータ２８を反時計回りに回転させる。この回転駆動力が順次伝達され、ポスト２段ギア３２は時計回りに、２段ギア３４は反時計回りにそれぞれ回転し、カムギア４２は時計回りに回転する。
【０１２０】
このときロック部６４は、ロック解除リンク部６４Ｂをカム径ＣＲが一定のままカムギア４２のカム部４５の外周面に沿って転動させることにより、ロック係止突起部６４Ａがロックギア４８のロック係止摺動部５１から退避した状態を維持する。
【０１２１】
またこのときポスト２段ギア３２におけるポスト部３２Ｃが、空転ギア３８の円弧状長穴部３８Ｃに沿って移動し、所定の角度以上時計回りに回転すると、閉鎖時当接端面３８ＣＢに当接する。
【０１２２】
このためポスト部３２Ｃが円弧状長穴部３８Ｃの閉鎖時当接端面３８ＣＢを時計回りに押すことにより、ポスト２段ギア３２から空転ギア３８へ回転駆動力が伝達される。
【０１２３】
空転ギア３８が時計回りに回転すると、この回転駆動力が順次伝達され、ロックギア４８は反時計回りに、ドライブギア５４、ドライブギアシャフト５６及びピニオンギア５８は時計回りにそれぞれ回転することにより、シャッタ２４が閉鎖方向（前方）に移動し始める。
【０１２４】
引き続きモータ２８が反時計回りに回転することにより、ロック部６４のロック解除リンク部６４Ｂが、カム部４５の外周面と解除リンク摺動部４６との境目に位置するまで（すなわちカム径ＣＲが小さくなり始めるまで）カムギア４２が時計回りに回転する。
【０１２５】
このときロック部６４は、ロック係止突起部６４Ａをロックギア４８のロック係止部５０の外周面に沿って転動させることにより、ロック係止突起部６４Ａがロックギア４８のロック係止摺動部５１から退避した状態を維持する。
【０１２６】
この状態においては、ロック部６４の遮蔽部６４Ｃがロック状態検知センサ７０よりも後方下側へ位置しているままであるため、紙幣入出金部１０はロックフリー状態を検知する。
【０１２７】
シャッタ２４が完全に閉じる閉鎖状態になる直前に、ロック部６４のロック係止突起部６４Ａが、反時計回りに回転するロックギア４８のロック係止摺動部５１のロック端面５１Ａに当接しつつ転がり、ロック係止摺動部５１に入り込む。
【０１２８】
このためロック部６４は、回転支点シャフト６７を中心として、スプリング６８の付勢力により反時計回りに回動する。
【０１２９】
これによりロック部６４のロック係止突起部６４Ａが、ロックギア４８のロック係止部５０のロック端面５１Ａに当接し、図５に示したようにロック状態となる。
【０１３０】
このときロック解除リンク部６４Ｂは、カムギア４２のカム部４５における逆転防止端面４６Ａから僅かに離隔して位置している。
【０１３１】
またこのときロック部６４の遮蔽部６４Ｃが前方上側へ移動してロック状態検知センサ７０を遮るよう位置することにより、紙幣入出金部１０はロック状態を検知する。
【０１３２】
このように紙幣入出金部１０は、同一の駆動源であるモータ２８から、シャッタ開閉機構１６及びシャッタ施解錠機構１８に駆動力を伝達し、シャッタ２４を開け閉めすると共に、当該シャッタ２４の施錠及び解錠を行うようにした。
【０１３３】
［１−４−５．効果］
以上の構成において、紙幣入出金部１０は、シャッタ２４に直接接触してロックするのではなく、シャッタ２４の開閉駆動を行うドライブギア５４、ドライブギアシャフト５６及びピニオンギア５８に対し回転駆動力を伝達するロックギア４８の回転をロック部６４で規制することにより、シャッタ２４をロックするようにした。
【０１３４】
このため紙幣入出金部１０は、シャッタ２４にロックを掛けるロック係止位置ＰＬ（ロック部６４とロックギア４８との接点）を、従来の紙幣入出金部２１０（図９）に比べ、紙幣入出口６及びシャッタ２４から離隔することができる。
【０１３５】
これにより紙幣入出金部１０は、シャッタ２４とフレーム２０との間に外部から工具を挿入してロック係止位置ＰＬへアクセスすることを困難にでき、外部から解錠しにくくし、不正解錠行為を防ぐことができる。
【０１３６】
また紙幣入出金部１０は、カムギア４２に操作部４４を設けることにより、保守作業時に作業員が当該操作部４４に触れながらカムギア４２を回転させ、シャッタ２４のロックを手動で解除及び施錠することができる。
【０１３７】
以上の構成によれば、紙幣入出金部１０は、紙幣入出口６を介し外部から取り込んだ紙幣を収容する紙幣収容部２２を外部に開放する開放方向及び外部から閉鎖する閉鎖方向にシャッタ２４を移動させる開閉部９４と、駆動力を有する駆動部９６と、駆動部９６及び開閉部９４に接触して回転することで駆動部９６の駆動力を開閉部９４に伝達することにより、開閉部９４を駆動するギア部としてのロックギア４８と、ギア部に接触しギア部の回転を規制することにより、開閉部９４の動作を規制しシャッタ２４が移動しないようロックする一方、ギア部から外れギア部の回転を開放することにより、開閉部９４を移動させシャッタ２４を移動させるようロックを解除するシャッタ施解錠部９８とを設けるようにした。
【０１３８】
このため紙幣入出金部１０は、シャッタ２４自体に接触してロックを掛けるのではなく、シャッタ２４を開閉するピニオンギア５８を駆動するロックギア４８に接触してロックを掛けることにより、ロック係止位置ＰＬをシャッタ２４から離隔し外部から解錠しにくくすることができる。
【０１３９】
［２．第２の実施の形態］
第２の実施の形態による現金自動取引装置１は、第１の実施の形態による現金自動取引装置１と比べて、図３との対応部分に同一符号を付した図８に示すように、紙幣入出金部１１０が紙幣入出金部１０と異なっているものの、それ以外は同様に構成されている。
【０１４０】
［２−１．紙幣入出金部の構成］
紙幣入出金部１１０は、紙幣入出金部１０と比べて、開閉部１９４が開閉部９４と異なっている。開閉部１９４は、ドライブギア５４、ドライブギアシャフト７４、ドライブプーリ７８、ベルト７６及び従動プーリ８０により構成されている。
【０１４１】
紙幣入出金部１１０におけるロックギア４８の前方上部には、円筒形状でなり外周面にギア歯が形成されたドライブギア５４が、当該ロックギア４８と噛み合うように側面視においてドライブギアシャフト７４に挿通されて固定され、当該ドライブギアシャフト７４と共に回転するように設けられている。ドライブギアシャフト７４は、その左右両端がフレーム２０に対し回転可能に固定されている。
【０１４２】
ドライブギア５４は、ロックギア４８のロックギア部４９と噛合することにより、モータ２８からの回転駆動力を伝達される。
【０１４３】
ドライブギアシャフト７４の左右両端には、円筒形状でなり外周面にベルト歯が形成されたドライブプーリ７８が、互いのベルト歯の位相を合わせるよう当該ドライブギアシャフト７４に固定されている。
【０１４４】
ドライブプーリ７８の前方には、円筒形状でなり外周面にベルト歯が形成された従動プーリ８０が、左右方向に延設するシャフト（図示せず）を中心に回転自在に設けられている。
【０１４５】
ドライブプーリ７８及び従動プーリ８０の外周面には、当該ドライブプーリ７８のベルト歯及び従動プーリ８０のベルト歯と噛み合うベルト歯が内周面に形成された、無端ベルトでなるベルト７６が架設されている。
【０１４６】
これにより、ドライブプーリ７８が回転すると、この駆動力がベルト７６を介して従動プーリ８０に伝達し、当該従動プーリ８０が回転する。
【０１４７】
シャッタ１２４における左右後端部には、下方へ突出するシャッタリンク部８２が形成され、当該シャッタリンク部８２は、ベルト７６の上半分の所定位置に固定されている。
【０１４８】
またシャッタ１２４における前端部の左右側面からは、円筒形状のガイドローラ８４が、左方向及び右方向にそれぞれ突出して設けられている。
【０１４９】
シャッタ１２４の左右両側には、前後方向に沿う溝部が形成されたスライドガイド８６がフレーム２０に固定されて設けられている。図８においてスライドガイド８６は一部省略して図示している。
【０１５０】
シャッタ１２４は、ガイドローラ８４がスライドガイド８６の溝部に対し摺動可能に嵌め込まれていることにより、当該スライドガイド８６に沿って前後方向に移動可能に構成されている。
【０１５１】
［２−２．動作及び効果］
以上の構成において、閉鎖状態（ロック状態）からシャッタ１２４を開放させる際、紙幣入出金部１１０は、制御部の制御に基づきモータ２８を側面視時計回りに回転させる。
【０１５２】
この回転による駆動力は、紙幣入出金部１０と同様にポスト２段ギア３２、２段ギア３４及びカムギア４２を順次伝達することにより、紙幣入出金部１１０はロックフリー状態となる。
【０１５３】
閉鎖状態のロックフリー状態からモータ２８がさらに時計回りに回転すると、この駆動力は、ポスト２段ギア３２、空転ギア３８、ロックギア４８、ドライブギア５４及びドライブギアシャフト７４を順次伝達することにより、ドライブプーリ７８を反時計回りに回転させる。
【０１５４】
このためベルト７６及び従動プーリ８０が反時計回りに回転することにより、当該ベルト７６に固定されたシャッタ１２４が開放方向に移動し、紙幣入出金部１１０は開放状態になる。
【０１５５】
一方、開放状態からシャッタ１２４を閉鎖させる際、紙幣入出金部１１０は制御部の制御に基づきモータ２８を側面視反時計回りに回転させる。
【０１５６】
この回転による駆動力は、ポスト２段ギア３２、空転ギア３８、ロックギア４８、ドライブギア５４及びドライブギアシャフト７４を順次伝達することにより、ドライブプーリ７８を時計回りに回転させる。
【０１５７】
このためベルト７６及び従動プーリ８０が時計回りに回転することにより、当該ベルト７６に固定されたシャッタ１２４が閉鎖方向に移動し、紙幣入出金部１１０は閉鎖状態になる。
【０１５８】
このときモータ２８の駆動力が紙幣入出金部１０と同様にポスト２段ギア３２、２段ギア３４及びカムギア４２を順次伝達することにより、紙幣入出金部１１０はロック状態となる。
【０１５９】
このように紙幣入出金部１１０は、モータ２８からの回転駆動力を用いて、ドライブプーリ７８及び従動プーリ８０を回転させることによりベルト７６を回転させ、当該ベルト７６に固定されたシャッタ１２４を開閉させるようにした。
【０１６０】
これにより紙幣入出金部１１０は、紙幣入出金部１０のようにシャッタ２４のシャッタラック２６を用いてシャッタ２４を開閉させる場合のみならず、ベルト７６とドライブプーリ７８及び従動プーリ８０を用いてシャッタ１２４を開閉する機構においても、シャッタ１２４とフレーム２０との間に外部から工具を挿入してロック係止位置ＰＬへアクセスすることを困難にでき、外部から解錠しにくくして不正解錠行為を防ぐことができる。
【０１６１】
［３．他の実施の形態］
なお上述した実施の形態においては、同一の駆動源であるモータ２８から、シャッタ開閉機構１６及びシャッタ施解錠機構１８に駆動力を伝達し、シャッタ２４を開け閉めすると共に、当該シャッタ２４の施錠及び解錠を行う場合について述べた。
【０１６２】
本発明はこれに限らず、シャッタ開閉機構１６に駆動力を伝達するモータと、シャッタ施解錠機構１８に駆動力を伝達するモータとを別々に設けても良い。
【０１６３】
その場合、ポスト２段ギア３２、２段ギア３４及び空転ギア３８を省略して、モータギア３０をロックギア４８に接触させると共に、モータ２８とは別のモータによりカムギア４２のカムギアシャフト４１を回転させる。
【０１６４】
例えばシャッタを開放させる際は、シャッタ施解錠機構１８のカムギア４２を駆動するモータの回転を開始させた所定時間経過後にシャッタ開閉機構１６のロックギア４８を駆動するモータの回転を開始させることにより、ロックを解除した後にシャッタを開放するようにすれば良い。
【０１６５】
また上述した実施の形態においては、モータギア３０、ポスト２段ギア３２、２段ギア３４を介し、モータ２８の回転駆動力をカムギア４２に伝達するようにした。
【０１６６】
本発明はこれに限らず、モータギア３０又はポスト２段ギア３２にカムギア４２を接触させ、当該モータギア３０又はポスト２段ギア３２から、モータ２８の回転駆動力をカムギア４２に伝達するようにしても良い。
【０１６７】
さらに上述した実施の形態においては、紙幣入出口６の下側（フレーム２０の内側）から当該紙幣入出口６を覆うようにシャッタ２４を配置する場合について述べた。本発明はこれに限らず、紙幣入出口６の上側（フレーム２０の外側）から当該紙幣入出口６を覆うようにシャッタを配置し、フレーム２０の外側をスライド移動させるようにしても良い。
【０１６８】
さらに上述した実施の形態においては、シャッタ２４及び１２４を略平板状とする場合について述べた。本発明はこれに限らず、シャッタを湾曲形状としても良い。要は紙幣入出金部１０の紙幣入出口６の形状に対応した形状であれば良い。
【０１６９】
さらに上述した第１の実施の形態においては、ドライブギア５４、ドライブギアシャフト５６、ピニオンギア５８を省略してロックギア４８のロックギア４８をシャッタ２４のシャッタラック２６に噛合させることによりシャッタ２４を開閉しても良い。
【０１７０】
さらに上述した実施の形態においては、ロックギア４８を回転させる場合について述べた。本発明はこれに限らず、ロックギア４８を前後方向に往復移動させても良く、要は空転ギア３８からの回転をシャッタ２４に伝達するよう移動すると共に、ロックを掛ける際はロック部６４に係止されて移動が規制されれば良い。
【０１７１】
さらに上述した実施の形態においては、ロックギア４８のロックギア部４９のギア径をドライブギア５４のギア径よりも小さくし、ドライブギア５４に対するロックギア４８のギア比を小さくすることにより、閉鎖状態にあるシャッタ２４を開けるよう開放方向に力を掛けられた際、シャッタ２４を開けにくくするようにしても良い。この場合、ロック部６４がロックギア４８を抑える力を小さくすることができる。
【０１７２】
さらに上述した実施の形態においては、利用者との取引内容に応じて紙幣を入金させ、また利用者へ紙幣を出金する現金自動取引装置１の紙幣入出金部１０に本発明を適用する場合について述べた。本発明はこれに限らず、紙幣を入金させる入金専用の紙幣入金部や、紙幣を出金する出金専用の紙幣出金部等、種々の装置に対し本発明を適用しても良い。
【０１７３】
さらに上述した実施の形態においては、現金自動取引装置１の紙幣入出金部１０に本発明を適用する場合について述べた。本発明はこれに限らず、現金自動取引装置１の硬貨入出金機５における硬貨入出金部に対し本発明を適用しても良い。
【０１７４】
また利用者との取引内容に応じて硬貨を入金させ、また利用者へ硬貨を出金する硬貨入出金部に限らず、硬貨を入金させる入金専用の硬貨入金部や、硬貨を出金する出金専用の硬貨出金部等、種々の装置に対し本発明を適用しても良い。
【０１７５】
要は、媒体を収容する媒体収容部を外部に開放する開放方向及び外部から閉鎖する閉鎖方向に移動するシャッタを開閉駆動すると共に施錠及び解錠する装置であれば良い。
【０１７６】
さらに上述した実施の形態においては、利用者との取引内容に応じて紙幣等の現金を入金させ、また利用者へ現金を出金する現金自動取引装置１の紙幣入出金部１０及び１１０に本発明を適用したが、本発明はこれに限らず、紙葉状の媒体を投入させ、また排出する機構を有する種々の装置に適用することができる。
【０１７７】
さらに上述した実施の形態においては、媒体として紙幣について述べたが、本発明はこれに限らず、例えば商品券や金券、入場券等のような薄い紙状の媒体であれば良い。
【０１７８】
さらに本発明は、上述した第１の実施の形態と第２の実施の形態と他の実施の形態とに限定されるものではない。すなわち本発明は、上述した実施の形態と他の実施の形態の一部又は全部を任意に組み合わせた実施の形態や、一部を抽出した実施の形態にもその適用範囲が及ぶものである。
【０１７９】
さらに上述した実施の形態においては、開閉部としての開閉部９４又は１９４と、駆動部としての駆動部９６と、ギア部としてのロックギア４８と、シャッタ施解錠部としてのシャッタ施解錠部９８とによって、シャッタ装置としての紙幣入出金部１０又は１１０を構成する場合について述べた。
【０１８０】
本発明はこれに限らず、その他種々の構成でなる開閉部と、駆動部と、ギア部と、シャッタ施解錠部とによってシャッタ装置を構成しても良い。
【０１８１】
さらに上述した実施の形態においては、受付部としての接客部９と、開閉部としての開閉部９４又は１９４と、駆動部としての駆動部９６と、ギア部としてのロックギア４８と、シャッタ施解錠部としてのシャッタ施解錠部９８と、搬送部としての搬送路１５とによって、媒体取引装置としての現金自動取引装置１を構成する場合について述べた。
【０１８２】
本発明はこれに限らず、その他種々の構成でなる受付部と、開閉部と、駆動部と、ギア部と、シャッタ施解錠部と、搬送部とによって媒体取引装置を構成しても良い。
【産業上の利用可能性】
【０１８３】
本発明は、現金自動取引装置等に設けられ利用者が入金する紙幣が投入されると共に、利用者へ出金する紙幣が排出される紙幣入出金部等に利用できる。
【符号の説明】
【０１８４】
１……現金自動取引装置、２……カード入出口、３……通帳入出口、４……紙幣入出金機、５……硬貨入出金機、６……紙幣入出口、７……硬貨入出口、８……表示操作部、９……接客部、１０、１１０、２１０……紙幣入出金部、１１……鑑別部、１２……一時保留部、１３……紙幣収納庫、１４……リジェクト庫、１５……搬送路、１６……シャッタ開閉機構、１８……シャッタ施解錠機構、１９……筐体、２０……フレーム、２２……紙幣収容部、２４、１２４……シャッタ、２６……シャッタラック、２８……モータ、３０……モータギア、３２……ポスト２段ギア、３２Ａ……大径ポスト２段ギア部、３２Ｂ……小径ポスト２段ギア部、３２Ｃ……ポスト部、３４……２段ギア、３４Ａ……大径２段ギア部、３４Ｂ……小径２段ギア部、３６……ポスト２段ギアシャフト、３８……空転ギア、３８Ａ……大径部、３８Ｂ……空転ギア部、３８Ｃ……円弧状長穴部、３８ＣＡ……開放時当接端面、３８ＣＢ……閉鎖時当接端面、４０……２段ギアシャフト、４１……カムギアシャフト、４２……カムギア、４３……カムギア部、４３Ａ……底面、４４……操作部、４４Ａ……突起部、４５……カム部、４６……解除リンク摺動部、４６Ａ……逆転防止端面、４８……ロックギア、４９……ロックギア部、５０……ロック係止部、５１……ロック係止摺動部、５１Ａ……ロック端面、５２……ロックギアシャフト、５４……ドライブギア、５６……ドライブギアシャフト、５８……ピニオンギア、６０……開検知センサ、６２……閉検知センサ、６４……ロック部、６４Ａ……ロック係止突起部、６４Ｂ……ロック解除リンク部、６４Ｃ……遮蔽部、６４Ｄ……シャフト孔部、６４Ｅ……スプリング孔部、６５……ロック回転部材、６６……ロック解除回転部材、６７……回転支点シャフト、６８……スプリング、６８Ｃ……巻装部、６８Ｆ……前腕部、６８Ｒ……後腕部、７０……ロック状態検知センサ、７４……ドライブギアシャフト、７６……ベルト、７８……ドライブプーリ、８０……従動プーリ、８２……シャッタリンク部、８４……ガイドローラ、８６……スライドガイド、８７……フレーム、８８……開口部、８９……シャッタ、９０……駆動部、９０Ａ……カム部、９１……支軸、９２……ロック機構、９４、１９４……開閉部、９６……駆動部、９８……シャッタ施解錠部、ＰＬ……ロック係止位置、ＣＲ……カム径。
【図１】
2014130480.tif 000003
【図２】
2014130480.tif 000004
【図３】
2014130480.tif 000005
【図４】
2014130480.tif 000006
【図５】
2014130480.tif 000007
【図６】
2014130480.tif 000008
【図７】
2014130480.tif 000009
【図８】
2014130480.tif 000010
【図９】
2014130480.tif 000011